(57)【要約】【課題】  ラインストーンを所定の情報に沿った所定の位置に配置する作業を容易にして、労力の軽減と作業時間の短縮化を図ることが可能なラインストーン配置用スライド具とラインストーン配置型とラインストーン配置用具セットを提供すること。【解決手段】  少なくとも一端を開口部とした筐体と、上記筐体の開口部を覆うように取り付けられた可撓性蓋体とを具備したもの。ラインストーン配置用型本体と、上記ラインストーン配置用型本体上に任意の情報に基づいて形成された複数個の穴とを具備し、上記穴の深さはラインストーンの高さの略半分程度に設定されているもの。【選択図】  図２
2006124871.tif 000002
【特許請求の範囲】
【請求項１】
少なくとも一端を開口部とした筐体と、
上記筐体の開口部を覆うように取り付けられた可撓性蓋体と、
を具備したことを特徴とするラインストーン配置用スライド具。
【請求項２】
請求項１記載のラインストーン配置用スライド具において、
上記開口部の縁部にはクッション材が取り付けられていて、該クッション材の上から上記可撓性蓋体が取り付けられていることを特徴とするラインストーン配置用スライド具。
【請求項３】
請求項１又は請求項２記載のラインストーン配置用スライド具において、
上記筐体は中空円筒形状をなしていることを特徴とするラインストーン配置用スライド具。
【請求項４】
請求項３記載のラインストーン配置用スライド具において、
上記筐体の開口部側の外側縁部には円弧状のＲ加工が施されていることを特とするラインストーン配置用スライド具。
【請求項５】
請求項１〜請求項４の何れかに記載のラインストーン配置用スライド具において、
上記可撓性蓋体は伸縮性を備えた布体であることを特徴とするラインストーン配置用スライド具。
【請求項６】
ラインストーン配置用型本体と、
上記ラインストーン配置用型本体上に任意の情報に基づいて形成された複数個の穴と、
を具備し、
上記穴の深さはラインストーンの高さの略半分程度に設定されていることを特徴とするラインストーン配置用型。
【請求項７】
請求項１〜請求項５の何れかに記載のラインストーン配置用スライド具と、
上記請求項６記載のラインストーン配置用型と、
を具備したことを特徴とするラインストーン配置用具セット。
【発明の詳細な説明】
【技術分野】
【０００１】
本発明は、ラインストーン配置用スライド具とラインストーン配置用型とラインストーン配置用具セットに係り、特に、ラインストーンを所望のデザインに沿った所定の位置に容易に配列させることができるように工夫したものに関する。
【背景技術】
【０００２】
昨今、衣服等に任意のデザインでラインストーンを取り付けて装飾することが行なわれている。この場合、複数個のラインストーンを所定のデザインに沿った所定の位置に配置する必要がある。そのような配置作業は次のようにして行なわれていた。
【０００３】
まず、紙があり、この紙の上にラインストーンを配置する位置を印したラインストーン配置用型を載置する。このラインストーン配置用型には、ラインストーンが丁度勘合する穴が所定のデザインに沿った所定の位置に形成されている。そして、作業員がピンセットを使用してラインストーンを一個ずつ上記穴内に嵌め込んでいく。
【０００４】
次に、全ての穴内にラインストーンを配置した後、その上から接着テープを載置して配置した全てのラインストーンを接着・保持する。後は、ラインストーンを所定のレイアウトで接着・保持した接着テープを衣服の所定の場所に載置する。そして、超音波接着機を使用してラインストーンを衣服に接着・固定していくものである。
【０００５】
尚、同種の内容を開示するものとして、例えば、特許文献１がある。
【０００６】
【特許文献１】特開２００４−２７４１２号公報
【発明の開示】
【発明が解決しようとする課題】
【０００７】
上記従来の構成によると次のような問題があった。
すなわち、複数個のラインストーンをラインストーン配置用型の複数個の穴内に配置していく作業が極めて煩雑であり、作業に多くの労力と長い時間を要してしまうという問題があった。特に、洋品店等において客からの依頼に基づいてそのような作業を行なう場合、作業に長時間を要するために客を長時間待たせてしまうという問題があった。
【０００８】
本発明はこのような点に基づいてなされたものでその目的とするところは、ラインストーンを所定の情報に沿った所定の位置に配置する作業を容易にして、労力の軽減と作業時間の短縮化を図ることが可能なラインストーン配置用スライド具とラインストーン配置用型とラインストーン配置用具セットを提供することにある。
【課題を解決するための手段】
【０００９】
上記目的を達成するべく本願発明の請求項１によるラインストーン配置用スライド具は、少なくとも一端を開口部とした筐体と、上記筐体の開口部を覆うように取り付けられた可撓性蓋体と、を具備したことを特徴とするものである。
又、請求項２によるラインストーン配置用スライド具は、請求項１記載のラインストーン配置用スライド具において、上記開口部の縁部にはクッション材が取り付けられていて、該クッション材の上から上記可撓性蓋体が取り付けられていることを特徴とするものである。
又、請求項３によるラインストーン配置用スライド具は、請求項１又は請求項２記載のラインストーン配置用スライド具において、上記筐体は中空円筒形状をなしていることを特徴とするものである。
又、請求項４によるラインストーン配置用スライド具は、請求項３記載のラインストーン配置用スライド具において、上記筐体の開口部側の外側縁部には円弧状のＲ加工が施されていることを特徴とするものである。
又、請求項５によるラインストーン配置用スライド具は、請求項１〜請求項４の何れかに記載のラインストーン配置用スライド具において、上記可撓性蓋体は伸縮性を備えた布体であることを特徴とするものである。
又、請求項６によるラインストーン配置用型は、ラインストーン配置用型本体と、上記ラインストーン配置用型本体上に任意の情報に基づいて形成された複数個の穴と、を具備し、上記穴の深さはラインストーンの高さの略半分程度に設定されていることを特徴とするものである。
又、請求項７によるラインストーン配置用型は、請求項１〜請求項５の何れかに記載のラインストーン配置用スライド具と、上記請求項６記載のラインストーン配置用型と、を具備したことを特徴とするものである。
【発明の効果】
【００１０】
以上詳述したように本発明によるラインストーン配置用具によると、少なくとも一端を開口部とした筐体と、上記筐体の開口部を覆うように取り付けられた可撓性蓋体と、を具備した構成になっているので、例えば、ラインストーン配置用型上に複数個のラインストーンを載置した状態で、上記可撓性蓋体を  介して適度に押し付けながらスライドさせることにより、複数個のラインストーンをラインストーン配置用型内に容易に嵌め込んで配置することができ、ラインストーン配置作業に要する労力の軽減と時間の短縮を図ることができる。
又、上記開口部の縁部にはクッション材が取り付けられていて、該クッション材の上から上記可撓性蓋体を取り付けるようにした場合には、上記効果をさらに高めることができる。
又、上記筐体を中空円筒形状とすることにより、上記効果をさらに高めることができる。
又、上記筐体の開口部側の外側縁部に円弧状のＲ加工を施した場合には、上記効果をさらに高めることができる。
又、上記可撓性蓋体を伸縮性を備えた布体とした場合も、上記効果をより高めることができる。
又、本発明によるラインストーン配置用型は、ラインストーン配置用型本体と、上記ラインストーン配置用型本体上に任意の情報に基づいて形成された複数個の穴と、を具備し、上記穴の深さはラインストーンの高さの略半分程度に設定されている構成になっているので、ラインストーンが天地逆向きに穴内に入った場合には、他のラインストーンとの衝突等によってそこから飛び出し、そのような作用を繰り返すことにより、全ての穴内にラインストーンが正しい姿勢で嵌め込まれることになる。それによって、ラインストーン配置作業に要する労力の軽減と時間の短縮を図ることができる。
尚、上記任意の情報とは、例えば、任意のデザイン、盲人用の点字等、様々なものが想定される。
又、本発明によるラインストーン配置用具セットは、請求項１〜請求項５の何れかに記載のラインストーン配置用スライド具と、上記請求項６記載のラインストーン配置用型と、を組み合わせたものをクレームしたものであり、既に述べたような効果を奏することができるものである。
【発明を実施するための最良の形態】
【００１１】
以下、図１乃至図７を参照して本発明の一実施の形態を説明する。本実施の形態におけるラインストーン配置用スライド具１は、図１及び図２に示すような構成になっている。まず、筐体３があり、この筐体３は有底円筒状をなしていて、それを開口部５が下向きになるような方向で使用する。上記筐体３の開口部５側の縁部にはクッション材７が取り付けられている。そして、上記クッション材７を覆うように可撓性蓋体９が設置されている。
【００１２】
一方、本実施の形態によるラインストーン配置用型１１は図３及び図４に示すような構成になっている。まず、基材１３があり、
この基材１３には表面材１５が貼り付けられている。この表面材１５には所定の情報(例えば、任意のデザイン、盲人用の点字等)に沿って複数個の穴１７が形成されている。この実施の形態の場合には、図３に示すように、ハート型のデザイン部１９が設けられていると共にその下方には盲人用の点字部２１が５文字分設けられている。上記穴１７には着色が施されていて、例えば、作業員が弱視等の視覚障害者であっても場所の認識ができるよう工夫されている。又、上記ラインストーン配置用型１１は紙製である。
【００１３】
そして、本実施の形態では、図５に示すように、ラインストーン配置用型１１上に複数個のラインストーン２３を置いて、これをラインストーン配置用スライド具１によって押し付けながらスライドさせる。それによって、ラインストーン配置用型１１の穴１７内にラインストーン２３を表向きの姿勢で嵌め込んでいくものである。
【００１４】
既に説明した可撓性蓋体９であるが、本実施の形態では、伸縮性が高くて表面が「ツルツル」した布、例えば、女性用ストッキングに使用されている布地を使用している。これは次のような理由による。まず、伸縮性の点から説明する。ラインストーン配置用スライド具1を横方向にスライドさせる際、凹１７穴に既に嵌め込まれているラインストーン２３に、その周辺にある他のラインストーン２３を介して横方向の力を作用させる。その際、可撓性蓋体９の伸縮作用によってラインストーン２３を上方から押し付けることにより上記横方向の力が良好に作用することになるからである。又、可撓性蓋体９の伸縮作用によって筐体３の内部において多数のラインストーン２３を収容可能な状態となる。図２はまさにそのような状態を示している。それによって、ラインストーン配置用スライド具1をスライド操作させる際に、ラインストーン２３が横方向に飛び出してしまうことを防止できるからである。又、伸縮性があることによって多量のラインストーンを収容してもラインストーン配置用具１がラインストーン配置用型１１から浮き上がったりすることを防止することができるからである。
又、表面が「ツルツル」している点であるが、これはラインストーン２３が可撓性蓋体９に張り付かないようにするためである。
【００１５】
尚、女性用ストッキングの素材を開示するものとして、例えば、特許文献２、特許文献３、特許文献４等がある。又、それに限らず、公知のあらゆる女性用  ストッキング用の素材の適用が考えられる。又、女性用ストッキングの素材以外にも様々な素材が想定される。
【００１６】
【特許文献２】特開２００４−２７００６０号公報
【特許文献３】特開２００４−３０６２号公報
【特許文献４】特開２００１−２１４３４２号公報
【００１７】
又、上記筐体３を中空円筒形状としたのは次のような理由による。すなわち、ラインストーン配置用スライド具１をラインストーン配置用型１１の上でスライドさせるとき、筐体３の縁が既に穴１７内に配列されているラインストーン２３上に乗り易く、既に穴１７内に配列されているラインストーン２３上を通過することになる。その際、筐体３が中空円筒形状をなしていると、少しずつラインストーン２３上に乗り上げていくことになるので、抵抗が少なくて済み、且つ、既に配置されているラインストーン２３を弾き飛ばすことが少ないからである。
又、筐体３の端面はＲ円弧状に形成されている。それによっても、スライド時の抵抗を軽減させる効果が期待できる。
【００１８】
又、クッション材７であるが、これは上下方向に対する凹凸を吸収するためである。
尚、可撓性蓋体９がある程度の厚みを持っていればクッションの役目も果たすので、その場合にはクッション材は不要となる。
【００１９】
又、ラインストーン配置用型１１の穴１７とラインストーン２３との関係について説明する。ラインストーン２３は、図６および図７に示すように、円錐の上端部を切除したような形状になっている。そして、先端側の外径が（ｄ１）であり、基端側の外径が（ｄ２）となっている。そして、上記穴１７の内径であるが、ラインストーン２３の大きいほうの外径（ｄ２）が丁度嵌まる程度の大きさに設定されている。又、穴１７の深さ（ｈ）であるが、ラインストーン２３の高さの略半分程度の寸法に設定されている。
【００２０】
そして、ラインストーン配置用スライド具１による横方向のスライド作用に対して、ラインストーン２３が表向きになっている場合には、図６に示すように、穴１７の側壁がストッパとして作用するために、ラインストーン２３が穴１７から外れてしまうことはない。これに対して、図７に示すように、ラインストーン２３が裏向きになっている場合には、ラインストーン２３に対する抵抗が小さいために、凹１７から容易に外れることになる。その結果、表向きのラインストーン２３のみが穴１７内に配列されることになり、又、ラインストーン配置用スライド具１の筐体３内において、複数個のラインストーン２３同士が互いに衝突したり、或いは穴１７に当たったりすることにより、結果として裏向きのラインストーン２３が表向きになって穴１７内に配列されることになる。
【００２１】
以上の構成を基にその作用を説明する。
まず、ラインストーン配置用型１１上に複数個のラインストーン２３を載置する。次に、図５に示すように、例えば、右手３１でラインストーン配置用スライド具１を把持して、左手３３で支持しているラインストーン配置用型１１上に載置された複数個のラインストーン２３を押し付けるようにしてスライドさせる。その作業によって、図２に示すように、ラインストーン２３が穴１７内に自動的に嵌め込まれていく。
【００２２】
その際、可撓性蓋体９が効果的に機能する。すなわち、図２に示すように、可撓性蓋体９が適度に撓んで複数個のラインストーン２３を収容しながら移動することになり、その際、効率良く穴１７内に嵌め込んでいくと共に、ラインストーン２３が筐体３の外側に飛び出してしまうようなことを防止している。又、図６に示すように、ラインストーン２３が正しい姿勢で嵌め込まれた場合にはそれが不用意に移動することはない。これに対して、図７に示すように、ラインストーン２３が天地逆向きに嵌め込まれた場合には、ラインストーン２３が穴１７内にて不安定な状態になるので、周囲のラインストーン２３との衝突等によって穴１７内から外れてしまう。そして、正しい姿勢に反転した後に穴１７内に嵌め込まれることになる。
【００２３】
上記作業を繰り返すことにより全ての穴１７内にラインストーン２３が嵌め込まれることになる。そして、残ったラインストーン２３を全て除去する。次いで、接着テープを上記嵌め込まれたラインストーン２３の上から載置して穴１７内に嵌め込まれた全てのラインストーン２３を接着・保持する。
【００２４】
後は、その接着テープを、例えば、衣服の任意の場所に載置する。そして、図示しない超音波接着機によって、全てのラインストーン２３を衣服に接着・固定していく。それによって、衣服の所定位置にラインストーン２３を所定のデザインにて接着・固定することが可能になる。
【００２５】
以上本実施の形態によると次のような効果を奏することができる。
まず、ラインストーン２３をラインストーン配置用型１１の穴１７内に嵌め込んでいく作業が簡単なものとなり、作業に要する労力の軽減と作業に要する時間の短縮化を図ることができる。そして、その後の超音波接着の作業を含めて一連の作業が簡単なものとなり、ラインストーン２３の接着・固定作業を速やかに行なうことが可能になる。
特に、作業に熟練を要することもないので、初心者、不器用な作業員であっても効率良く作業を行なうことができる。
又、この種の作業は洋品店等において行なわれる場合があるが、洋品店に来店した客からの依頼を受けて一連の作業を開始しても、比較的短時間で全ての作業を完了することができるので、客を長時間待たせるようなこともない。
又、授産所等における障害者の作業としても好適である。すなわち、ラインストーン配置用具１をスライドさせるという比較的簡単な作業で、ラインストーンの配置を行うことができるからである。
又、筐体３が中空円筒形状をなしているので、スライド時における抵抗が軽減され、よって、既に穴１７内に嵌め込まれたラインストーン２３が不用意に飛び出してしまうようなことを防止することができ、又、作業効率も高くなる。
又、筐体３の開口部５側の外側縁部にＲ加工が施されているので、それによっても、上記効果を高めることができる。
又、可撓性蓋体９は伸縮性を備えた布体、具体的には、女性用のストッキングの生地を使用しているので、スライド動作時に、多数のラインストーン２３を収容することができると共に、ラインストーン２３のはみ出し等を防止することができる。
又、クッション材７によって上下方向の凹凸を効果的に吸収して円滑な動作を提供することができる。
又、ラインストーン配置用型１１の穴１７は、その深さ（ｈ）がラインストーン２３の高さの略半分に設定されているので、天地逆向きに入ったラインストーン２３の反転・正規な姿勢での嵌め込みを効果的に促進させることができる。
【００２６】
尚、本発明は前記一実施の形態に限定されるものではない。
まず、ラインストーン配置用具の形状、大きさ、各部品の材質等についてはこれを特に限定するものではない。
又、ラインストーン配置用型のデザインとしては様々なものが考えられる。
又、ラインストーン自体の形状も様々であり、それによって、ラインストーン配置用型の穴の形状等も変更されることになる。
【産業上の利用可能性】
【００２７】
本発明は、ラインストーン配置用スライド具とラインストーン配置用型とラインストーン配置用具セットに係り、特に、ラインストーンを所望のデザインに沿った所定の位置に容易に配置させることができるように工夫したものに関し、例えば、授産所等における障害者用の作業具として好適である。
【図面の簡単な説明】
【００２８】
【図１】本発明の一実施の形態を示す図で、ラインストーン配置用スライド具の構成を示す断面図である。
【図２】本発明の一実施の形態を示す図で、ラインストーン配置用スライド具によるラインストーン配置作業の様子を示す断面図である。
【図３】本発明の一実施の形態を示す図で、ラインストーン配置用型の構成を示す平面図である。
【図４】本発明の一実施の形態を示す図で、図３のＩＶ−ＩＶ断面図である。
【図５】本発明の一実施の形態を示す図で、ラインストーン配置用スライド具とラインストーン配置用型を使用してラインストーン配置作業を行なう様子を示す斜視図である。
【図６】本発明の一実施の形態を示す図で、正しい姿勢で配置されるラインストーンとラインストーン配置用型の関係を示す断面図である。
【図７】本発明の一実施の形態を示す図で、天地逆向きに配置されるラインストーンとラインストーン配置用型の関係を示す断面図である。
【符号の説明】
【００２９】
１  ラインストーン配置用スライド具
３  筐体    
７  クッション材
９  可撓性蓋体
１１  ラインストーン配置型
１３  基材
１５  表面材
１７  穴
１９  ハート部
２１  点字部
２３  ラインストーン
【図１】
2006124871.tif 000003
【図２】
2006124871.tif 000004
【図３】
2006124871.tif 000005
【図４】
2006124871.tif 000006
【図５】
2006124871.tif 000007
【図６】
2006124871.tif 000008
【図７】
2006124871.tif 000009